(57)【特許請求の範囲】
【請求項１】
通信回線を介して、互いに通信を行う通信システムにおいて、
送信側通信装置は、
画像情報を検索するための検索キーを入力する検索キー入力手段と、
原稿画像を読み取ることにより画像情報を得る読取手段と、
前記検索キー入力手段により複数の前記検索キーが入力された場合且つ１ページの前記画像情報内で複数のファイルを作成して、複数の前記検索キーに対応させて各前記ファイルを前記受信側通信装置のデータベースに登録させる場合、前記画像情報を分割する所定面積以上の白ラインの数を指定白ライン数として検出する第１の白ライン検出手段と、
前記通信回線を介して受信側通信装置に、前記検索キー及び前記白ラインに関する情報を含む制御信号および前記画像情報を送出する手段であって、前記指定白ライン数が検出された場合、複数の前記検索キーおよび前記指定白ライン数を含む前記制御信号および前記画像情報を送信する送信手段とを備え、
前記受信側通信装置は、
前記通信回線を介して、前記送信側通信装置から送出される前記検索キーおよび前記指定白ライン数を含む前記制御信号および前記画像情報を受信する受信手段と、
複数の前記検索キーおよび前記指定白ライン数を含む前記制御信号および前記画像情報が前記受信手段により受信された場合、前記画像情報内の前記白ラインを検出する手段であって、検出した前記白ラインの数が前記指定白ライン数より多い場合には、検出した前記白ラインのうち面積が大きい順に前記指定白ライン数と同数の白ラインを、前記画像情報を分割する白ラインとして検出する第２の白ライン検出手段と、
前記第２の白ライン検出手段により検出された前記白ラインによって分割される前記画像情報のファイルをそれぞれ作成し、複数の前記検索キーを各前記ファイルに順次割り当てることにより前記検索キーに対応させて、各前記ファイルをデータベースに登録するデータベース制御手段とを備えることを特徴とする通信システム。
【請求項２】
前記データベース制御手段は、複数の前記検索キーを受信した場合において、前記画像情報中に前記白ラインが前記第２の白ライン検出手段により検出されない場合には、各ページに前記検索キーを順次割り当てることを特徴とする請求項１に記載の通信システム。
【請求項３】
前記データベース制御手段は、複数の前記検索キーおよび前記指定白ライン数を含む前記制御信号を受信した場合において、前記第２の白ライン検出手段で検出した前記白ライン数が、前記指定白ライン数より少ない場合には、前記検索キーを次ページに割り当てることを特徴とする請求項１に記載の通信システム。
【請求項４】
前記送信側通信装置では、
複数ページを送出し、かつ、１つのページ内に複数の前記検索キーを割り当てたい場合には、前記送信手段は、当該１つのページを送信する前であって当該１つのページの１つ前のページを送信した後に、当該１つのページ内に割り当てる前記検索キーを含んだ前記制御信号を送信することを特徴とする請求項１に記載の通信システム。
【請求項５】
前記送信側通信装置では、送信する前記画像情報を各ページ単位で前記検索キーに対応させて前記受信側通信装置のデータベースに登録する場合には、前記検索キー入力手段は、前記複数の前記検索キーを入力し、前記送信手段は、複数の前記検索キーを含む前記制御信号および複数ページの前記画像情報を送信し、
前記受信側通信装置では、
前記受信手段で、複数の前記検索キーおよび前記指定白ライン数を含む前記制御信号および複数ページの前記画像情報を受信した場合には、前記データベース制御手段は、前記画像情報の各ページ毎にファイルを作成し、複数の前記検索キーを各前記ファイルに順次割り当て、前記検索キーに対応させて、各前記ファイルをデータベースに登録することを特徴とする請求項１に記載の通信システム。
【請求項６】
前記データベース制御手段は、
前記検索キー毎に分類した前記ファイルを、前記検索キー毎に表示する表示手段と、
前記表示手段により表示された前記ファイルまたは前記検索キーを選択する選択手段と、
前記選択手段で選択された前記ファイルの出力または選択された前記検索キーに対応する全ファイルの出力を行う出力手段と、
を含むことを特徴とする請求項１〜請求項５のいずれか１つに記載の通信システム。
【請求項７】
前記データベース制御手段は、ユーザの指定により、前記検索キー毎のファイル蓄積に加えて、ページ毎のファイル蓄積を同時に行うことを特徴とする請求項１〜請求項６のいずれか１つに記載の通信システム。
【請求項８】
通信回線を介して、他の通信装置と通信を行う通信装置において、画像情報を検索するための検索キーを入力する検索キー入力手段と、
原稿画像を読み取ることにより、画像情報を得る読取手段と、
前記検索キー入力手段により複数の前記検索キーが入力された場合且つ１ページの前記画像情報内で複数のファイルを作成して、複数の前記検索キーに対応させて各前記ファイルを前記受信側通信装置のデータベースに登録させる場合、前記画像情報を分割する所定面積以上の白ラインの数を指定白ライン数として検出する第１の白ライン検出手段と、
前記通信回線を介して受信側通信装置に、前記検索キー及び前記白ラインに関する情報を含む制御信号および前記画像情報を送出する手段であって、前記指定白ライン数が検出された場合、複数の前記検索キーおよび前記指定白ライン数を含む前記制御信号および前記画像情報を送信する送信手段とを備える
ことを特徴とする通信装置。
【請求項９】
通信回線を介して、他の通信装置と通信を行う通信装置において、前記通信回線を介して、前記他の通信装置から送出される検索キーを含む制御信号および画像情報を受信する受信手段と、
複数の前記検索キーおよび前記指定白ライン数を含む前記制御信号および前記画像情報が前記受信手段により受信された場合、前記画像情報内の前記白ラインを検出する手段であって、検出した前記白ラインの数が前記指定白ライン数より多い場合には、検出した前記白ラインのうち面積が大きい順に前記指定白ライン数と同数の白ラインを、前記画像情報を分割する白ラインとして検出する第２の白ライン検出手段と、
前記第２の白ライン検出手段により検出された前記白ラインによって分割される前記画像情報のファイルをそれぞれ作成し、複数の前記検索キーを各前記ファイルに順次割り当てることにより前記検索キーに対応させて、各前記ファイルをデータベースに登録するデータベース制御手段とを備える
ことを特徴とする通信装置。
【発明の詳細な説明】
【０００１】
【発明の属する技術分野】
本発明は、通信システムおよび通信装置に関し、詳細には、受信した原稿を検索キーにより管理可能なファクシミリシステムおよびファクシミリ装置に関する。
【０００２】
【従来の技術】
従来より、ファクシミリ装置では、発信元情報、時刻情報や送達情報などのファクシミリ文書に関する履歴情報に基づいて、ファクシミリ文書を管理する技術が知られている。
【０００３】
例えば、特開平８−１２５６８８号公報では、ファクシミリ機能を有するファクシミリ送信手段、複写および複写後処理機能を有する複写処理手段、パーソナルコンピュータ、パーソナルコンピューターのデータを出力するプリント出力手段、端末入力手段、電子メール手段とをコンピュータネットワークで接続したＦＡＸ送受信管理システムにおいて、検索キー情報および受信データ情報を登録するための登録管理手段と、ファクシミ受信時にその受信データと検索キー情報を前記登録管理手段に登録指示する受信管理手段とを備えたＦＡＸ送受信管理システムが開示されている。
【０００４】
また、特開平１０−２３３８６１号公報では、テキストデータを保存するテキストファイルと、ファクシミリ送信先、ファクシミリ送信データ、テキストファイル名、送信時間、送信状態を保存・管理するデータベースと、ホスト計算機から複数宛先のファクシミ送信データをテキストデータで受信して前記テキストファイルに格納する通信制御装置と、前記テキストファイルに保存されたファクシミ送信データから送信先を解析して前記データベースに格納する受信データ解析処理部と、ファクシミ送信するときに、前記データベースから送信状態が「未送信」であるファクシミ送信先のファクシミ送信データテキストファイル名を検索し、前記送信状態が「未送信」であるファイルを送信先毎に纏めた上で、テキストデータからイメージデータに変換するファクシミリ送信イメージデータに変換するファクシミリ送信イメージデータ変換部と、前記イメージデータをファクシミリ送信データとして送信するファクシミ送信処理部と、随時ファクシミ送信データを画面に表示する画面表示処理部とを備えたファクシミリ装置が開示されている。
【０００５】
【発明が解決しようとする課題】
しかしながら、上記特開平８−１２５６８８号公報や上記特開平１０−２３３８６１号公報の技術にあっては、発信元情報、時刻情報や送達情報などのファクシミリ文書に関する履歴情報を検索キーとして文書単位で管理するものであるので、文書の内容に応じて受信文書を管理ができないという問題がある。
【０００６】
本発明は、上記に鑑みてなされたものであり、文書の内容毎に受信した画像情報を管理することが可能な通信システムおよび通信装置を提供することを目的とする。
【０００７】
【発明が解決しようとする課題】
上記課題を解決するために、請求項１にかかる発明は、通信システムであって、送信側通信装置は、画像情報を検索するための検索キーを入力する検索キー入力手段と、原稿画像を読み取ることにより画像情報を得る読取手段と、前記検索キー入力手段により複数の前記検索キーが入力された場合且つ１ページの前記画像情報内で複数のファイルを作成して、複数の前記検索キーに対応させて各前記ファイルを前記受信側通信装置のデータベースに登録させる場合、前記画像情報を分割する所定面積以上の白ラインの数を指定白ライン数として検出する第１の白ライン検出手段と、前記通信回線を介して受信側通信装置に、前記検索キー及び前記白ラインに関する情報を含む制御信号および前記画像情報を送出する手段であって、前記指定白ライン数が検出された場合、複数の前記検索キーおよび前記指定白ライン数を含む前記制御信号および前記画像情報を送信する送信手段とを備え、前記受信側通信装置は、前記通信回線を介して、前記送信側通信装置から送出される前記検索キーおよび前記指定白ライン数を含む前記制御信号および前記画像情報を受信する受信手段と、複数の前記検索キーおよび前記指定白ライン数を含む前記制御信号および前記画像情報が前記受信手段により受信された場合、前記画像情報内の前記白ラインを検出する手段であって、検出した前記白ラインの数が前記指定白ライン数より多い場合には、検出した前記白ラインのうち面積が大きい順に前記指定白ライン数と同数の白ラインを、前記画像情報を分割する白ラインとして検出する第２の白ライン検出手段と、前記第２の白ライン検出手段により検出された前記白ラインによって分割される前記画像情報のファイルをそれぞれ作成し、複数の前記検索キーを各前記ファイルに順次割り当てることにより前記検索キーに対応させて、各前記ファイルをデータベースに登録するデータベース制御手段とを備えることを特徴とする。
【０００８】
上記発明によれば、送信側通信装置では、検索キー入力手段は、画像情報を検索するための検索キーを入力し、読取手段は、原稿の画像情報を読み取り、送信手段は、前記通信回線を介して受信側通信装置に、前記検索キーを含む制御情報および前記読み取った画像情報を送出し、受信側通信装置では、受信手段は、通信回線を介して、送信側通信装置から送出される検索キーを含む制御情報および画像情報を受信し、データベース制御手段は、受信した画像情報のファイルを作成して、前記検索キーに対応させて、データベースに登録する。このとき、送信側通信装置では、１ページの画像情報内で複数のファイルを作成して、検索キーに対応させて各ファイルを受信側通信装置のデータベースに登録する場合には、検索キー入力手段は、複数の検索キーを入力し、第１の白ライン検出手段は、画像情報を分割する所定面積以上の白ラインの数を指定白ライン数として検出し、送信手段は、複数の検索キーおよび指定白ライン数を含む前記制御信号および画像情報を送信し、受信側通信装置では、受信手段が、複数の検索キーおよび指定白ライン数を含む制御信号および画像情報を受信した場合には、第２の白ライン検出手段は、受信した画像情報中の白ラインを検出し、検出した白ラインの数が指定白ライン数より多い場合には、検出した白ラインのうち面積が大きい順に指定白ライン数と同数の白ラインを、画像情報を分割する白ラインとして検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当てることにより検索キーに対応させて、画像情報の各ファイルをデータベースに登録する。
【００１３】
また、請求項２にかかる発明は、請求項１に記載の通信システムであって、記データベース制御手段は、複数の前記検索キーを受信した場合において、前記画像情報中に前記白ラインが前記第２の白ライン検出手段により検出されない場合には、各ページに前記検索キーを順次割り当てることを特徴とする。
【００１４】
上記発明によれば、データベース制御手段は、複数の検索キーを受信した場合において、受信した画像情報中に白ラインがない場合には、各ページに検索キーを順次割り当てる。
【００１５】
また、請求項３にかかる発明は、請求項１に記載の通信システムであって、前記データベース制御手段は、複数の前記検索キーおよび前記指定白ライン数を含む前記制御信号を受信した場合において、前記第２の白ライン検出手段で検出した前記白ライン数が、前記指定白ライン数より少ない場合には、前記検索キーを次ページに割り当てることを特徴とする。
【００１６】
上記発明によれば、データベース制御手段は、複数の検索キーおよび白ライン数を含む制御情報を受信した場合において、検出した白ライン数が、受信した指定白ライン数より少ない場合には、検索キーを次ページに割り当てる。
【００１７】
また、請求項４にかかる発明は、請求項１に記載の通信システムであって、複数ページを送出し、かつ、１つのページ内に複数の前記検索キーを割り当てたい場合には、前記送信手段は、当該１つのページを送信する前であって当該１つのページの１つ前のページを送信した後に、当該１つのページ内に割り当てる前記検索キーを含んだ前記制御信号を送信することを特徴とする。
【００１８】
上記発明によれば、送信側ファクシミリ装置では、複数ページを送出し、かつ、１つのページ内に複数の検索キーを割り当てたい場合には、ファクシミリ送信手段は、当該１つのページを送信する前であって当該１つのページの１つ前のページを送信した後に、当該１つのページ内に割り当てる検索キーを含んだ制御信号を送信する。
【００１９】
また、請求項５にかかる発明は、請求項１に記載の通信システムであって、前記送信側通信装置では、送信する前記画像情報を各ページ単位で前記検索キーに対応させて前記受信側通信装置のデータベースに登録する場合には、前記検索キー入力手段は、複数の前記検索キーを入力し、前記送信手段は、複数の前記検索キーを含む前記制御信号および複数ページの前記画像情報を送信し、前記受信側通信装置では、前記受信手段で、複数の前記検索キーを含む前記制御信号および複数ページの前記画像情報を受信した場合には、前記データベース制御手段は、前記画像情報の各ページ毎にファイルを作成し、複数の前記検索キーを各前記ファイルに順次割り当てることにより前記検索キーに対応させて、各前記ファイルをデータベースに登録することを特徴とする。
【００２０】
上記発明によれば、送信側通信装置では、送信する画像情報を各ページ単位で検索キーに対応させて受信側通信装置のデータベースに登録する場合には、検索キー入力手段は、複数の検索キーを入力し、送信手段は、複数の検索キーを含む制御信号および複数ページの画像情報を送信し、受信側通信装置では、受信手段で、複数の検索キーを含む前記制御信号および複数ページの画像情報を受信した場合には、データベース制御手段は、受信した画像情報の各ページ毎にファイルを作成し、複数の検索キーを各ファイルに順次割り当て、検索キーに対応させて、画像情報の各ファイルをデータベースに登録する。
【００２１】
また、請求項６にかかる発明は、請求項１〜請求項５のいずれか１つに記載の通信システムであって、前記データベース制御手段は、前記検索キー毎に分類した前記ファイルを、前記検索キー毎に表示する表示手段と、前記表示手段により表示された前記ファイルまたは前記検索キーを選択する選択手段と、前記選択手段で選択された前記ファイルの出力または選択された前記検索キーに対応する全ファイルの出力を行う出力手段と、を含むことを特徴とする。
【００２２】
上記発明によれば、データベース制御手段では、表示手段は、検索キー毎に分類したファイルを、検索キー毎に表示し、選択手段は、表示手段により表示されたファイルまたは検索キーを選択し、出力手段は、選択手段で選択されたファイルの出力または前記選択された検索キーに対応するファイルを出力する。
【００２３】
また、請求項７にかかる発明は、請求項１〜請求項６のいずれか１つに記載の通信システムであって、前記データベース制御手段は、ユーザの指定により、検索キー毎のファイル蓄積に加えて、ページ毎のファイル蓄積を同時に行うことを特徴とする。
【００２４】
上記発明によれば、データベース制御手段は、ユーザの指定により、検索キー毎のファイル蓄積に加えて、ページ毎のファイル蓄積を同時に行う。
【００２５】
また、請求項８にかかる発明は、通信回線を介して、他の通信装置と通信を行う通信装置において、画像情報を検索するための検索キーを入力する検索キー入力手段と、原稿画像を読み取ることにより、画像情報を得る読取手段と、前記検索キー入力手段により複数の前記検索キーが入力された場合且つ１ページの前記画像情報内で複数のファイルを作成して、複数の前記検索キーに対応させて各前記ファイルを前記受信側通信装置のデータベースに登録させる場合、前記画像情報を分割する所定面積以上の白ラインの数を指定白ライン数として検出する第１の白ライン検出手段と、前記通信回線を介して受信側通信装置に、前記検索キー及び前記白ラインに関する情報を含む制御信号および前記画像情報を送出する手段であって、前記指定白ライン数が検出された場合、複数の前記検索キーおよび前記指定白ライン数を含む前記制御信号および前記画像情報を送信する送信手段とを備えることを特徴とする。
【００２６】
上記発明によれば、検索キー入力手段は、画像情報を検索するための検索キーを入力し、読取手段は、原稿の画像情報を読み取り、送信手段は、通信回線を介して受信側通信装置に、検索キーを含む制御情報および読み取った画像情報を送出する。このとき、１ページの画像情報内で複数のファイルを作成して、検索キーに対応させて各ファイルを受信側の他の通信装置のデータベースに登録する場合には、検索キー入力手段は、複数の検索キーを入力し、第１の白ライン検出手段は、画像情報を分割する所定面積以上の白ラインの数を指定白ライン数として検出し、送信手段は、複数の検索キーおよび指定白ライン数を含む前記制御信号および画像情報を送信する。
【００２７】
また、請求項９にかかる発明は、通信回線を介して、通信回線を介して、他の通信装置と通信を行う通信装置において、前記通信回線を介して、前記他の通信装置から送出される検索キーを含む制御信号および画像情報を受信する受信手段と、複数の前記検索キーおよび前記指定白ライン数を含む前記制御信号および前記画像情報が前記受信手段により受信された場合、前記画像情報内の前記白ラインを検出する手段であって、検出した前記白ラインの数が前記指定白ライン数より多い場合には、検出した前記白ラインのうち面積が大きい順に前記指定白ライン数と同数の白ラインを、前記画像情報を分割する白ラインとして検出する第２の白ライン検出手段と、前記第２の白ライン検出手段により検出された前記白ラインによって分割される前記画像情報のファイルをそれぞれ作成し、複数の前記検索キーを各前記ファイルに順次割り当てることにより前記検索キーに対応させて、各前記ファイルをデータベースに登録するデータベース制御手段とを備えることを特徴とする。
【００２８】
上記発明によれば、受信手段は、通信回線を介して他の通信装置から送出される検索キーを含む制御情報および画像情報を受信し、データベース制御手段は、受信した画像情報のファイルを作成して、検索キーに対応させて、データベースに登録する。受信手段は、複数の検索キーおよび指定白ライン数を含む制御信号および画像情報を受信した場合には、第２の白ライン検出手段は、受信した画像情報中の白ラインを検出し、検出した白ラインの数が指定白ライン数より多い場合には、検出した白ラインのうち面積が大きい順に指定白ライン数と同数の白ラインを、画像情報を分割する白ラインとして検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当て、検索キーに対応させて、画像情報の各ファイルをデータベースに登録する。
【００２９】
【発明の実施の形態】
以下、図面を参照して、本発明にかかる通信システムおよび通信装置の好適な実施の形態を詳細に説明する。
【００３０】
図１は、本発明にかかるファクシミリシステムの一例を示す図である。同図において、Ｇ３およびＧ４に対応したファクシミリ装置１００ａ、１００ｂは、通信回線２００を介して互いに接続されており、このファクシミリ装置１００ａ、１００ｂは、通信回線２００を介してファクシミリ文書の送受信を行う。ファクシミリ装置１００ａ、１００ｂ間では、予め検索キー（ナンバー）の取り決めが行われており、送信側のファクシミリ装置では、画像情報を受信側のファクシミリ装置に送信する際に、検索キーを送信し、受信側のファクシミリ装置では、受信した画像情報をファイル化して、受信した検索キーに対応させてデータベースに登録する。
【００３１】
図２は図１のファクシミリ装置１００ａ、１００ｂの構成を示すブロック図である。図１のファクシミリ装置１００ａ、１００ｂは、同一のハードウエア構成となっている。
【００３２】
図２に示すファクシミリ装置は、ＣＰＵ１、ＲＯＭ２、ＲＡＭ３、スキャナ４、プロッタ５、操作表示制御部６、ＣＣＵ（通信制御部）７、モデム８、ＳＡＦ９、符号化／復号化部１０、ＮＣＵ１１、ＮＳＳ制御部１３、データベース制御部１４とを備えており、各部はバス１２を介して互いに接続されている。
【００３３】
ＣＰＵ１は、ＲＯＭ２に格納されたプログラムに従って、ＲＡＭ３をワークエリアとして使用してファクシミリ装置の各部を制御する。ＲＯＭ２は、ＣＰＵ１を動作させるためのプログラムを格納している。ＲＡＭ３はＣＰＵ１のワークエリアとして使用され、ファクシミリ装置の制御に必要なプログラムや種々のデータが記憶される。
【００３４】
スキャナ４は原稿の画像情報を読み取る。プロッタ５はコピーや受信原稿の印字を行なう。操作表示制御部６は、ユーザが操作指示を入力するための各種ボタンや、必要な情報を表示するための表示部を備えている。
【００３５】
ＣＣＵ（通信制御部）７は、通信先のファクシミリ装置との間でファクシミリ制御信号を交換し、ファクシミリ通信手順を実行する。モデム８は、送信信号の変調、受信信号の復調を行なう。ＮＣＵ（網制御部）１１は通信回線の制御を行なう。
【００３６】
ＳＡＦ（Ｓｔｏｒｅ  ａｎｄ  Ｆｏｒｗａｒｄ）９は画像の蓄積を行うメモリである。符号化／復号化部（ＤＣＲ）１０は、画像情報を所定の符号化方式に従って符号化し、また、符号化された画像情報を復号化する。ＮＳＳ制御部１３は、送信の際には、検索キーを含むＮＳＳを作成する。この検索キーは、受信側ファクシミリ装置で、画像情報を内容毎に分類するためのキーとなるものである。また、ＮＳＳ制御部１３は、操作表示制御部６で、複数の検索キーが入力された場合には、原稿の白ライン数を指定白ライン数として検出し、複数の検索キーおよび指定白ライン数を含むＮＳＳを作成する。また、ＮＳＳ制御部１３は、受信の際には、受信したＮＳＳを解析して、検索キーや指定白ライン数を抽出する。データベース制御部１４は、受信した画像情報をファイル化して蓄積し、ファイルを検索キーに対応させてデータベース（図９参照）に登録する。また、データベース制御部１４は、操作表示制御部６の指示に応じて、データベースの検索を行う。
【００３７】
つぎに、検索キーの指定方法を図３〜図５を参照して説明する。図３は、１ページ分の画像情報を複数に分割してファイル化する場合を説明するための図である。１ページ分の画像情報を、複数に分割してファイル化したい場合には、分割を希望する数だけ検索キーを設定する。検索キーと原稿のブロックとを対応させるために、原稿内には「検索キーの数−１」の白ラインを設けておく。例えば、１ページ分の画像情報を、送信先にて３つのファイルに分割したい場合には、３つの検索キー（例えば、検索キー１、検索キー２、検索キー３）を入力し、原稿（画像情報）に２つの白ラインを設ける。
【００３８】
具体的には、図３に示す如く、画像情報のうち、独立のファイルとしたいブロック（ブロック１、２、３）間に、白ライン（白ライン１、２）を設ける。各ブロックには、検索キーが順に割り当てられ、後述するように、受信側ファクシミリ装置では、各ブロック１、２、３のファイルが作成され、検索キー１、２、３に夫々対応させて各ブロック１、２、３のファイルがデータベースに登録される。
【００３９】
図４は、ページ単位で検索キーを割り当てる場合を説明するための図である。ページ単位で検索キーを割り当てたい場合には、各ページに対応する検索キーを順次入力する。例えば、原稿を３ページ送信する場合に、１ページ、２ページ、３ページに、検索キー１、検索キー２、検索キー３を割り当てる場合には、検索キー１、検索キー２、検索キー３を順に入力し、検索キー１、２、３を含むＮＳＳを送信した後に、１ページ、２ページ、３ページの画像情報を送信する。
【００４０】
具体的には、図４に示す如く、１ページ、２ページ、３ページに、順に検索キー１、検索キー２、検索キー３が割り当てられる。これにより、後述するように、受信側ファクシミリ装置では、各ページのファイルが、検索キー毎にデータベースに登録される。
【００４１】
図５は、複数ページを送出し、かつ、１ページ内に複数の検索キーを割り当てる場合を説明するための図である。複数ページを送出し、かつ、１ページ内に複数の検索キーを割り当てたい場合には、送信側のファクシミリ装置では、１ページ目の送信後に、検索キーを含んだＮＳＳを送信する。例えば、１ページ目を２つのファイルに分割して検索キー１、２を割り当て、２ページ目に検索キー３を割り当てたい場合には、１ページ目を送信する前に、検索キー１、２を送信し、ついで、１ページ目の画像情報を送信する。この１ページ目の送信に応じて受信側ファクシミリ装置から送出されるＭＣＦの受信後に、検索キー３を送信し、この後、２ページ目の画像情報を送信する。
【００４２】
具体的には、図５に示す如く、１ページ目の画像情報（原稿）のうち、独立のファイルとしたいブロック（ブロック１、２）間に、白ライン（白ライン１）を設ける。受信側ファクシミリ装置では、１ページ目の各ブロックには、検索キー１、２が順に割り当てられ、２ページ目には、検索キー３が割り当てられる。そして、受信側ファクシミリ装置では、１ページ目のブロック１、２と２ページ目のファイルがそれぞれ作成され、検索キー１、２、３に夫々対応させて、１ページ目のブロック１、２と、２ページ目のファイルがデータベースに登録される。
【００４３】
つぎに、図６を参照して、送信側のファクシミリ装置の送信準備動作を説明する。図６は、送信側のファクシミリ装置の送信準備動作を説明するためのフローチャートである。
【００４４】
図６において、送信側のファクシミリ装置では、原稿を送信する際、まず、ユーザにより操作表示制御部６が操作されて、予め受信側のファクシミリ装置との間で定められた検索キー（ナンバー）が入力されると（ステップＳ１）、スキャナ４では、原稿の画像情報の読み取りが行われる（ステップＳ２）。そして、ＮＳＳ制御部１３では、検索キーが複数設定されたか否かを判断する（ステップＳ３）。ＮＳＳ制御部１３は、検索キーが１つ設定されたと判断した場合には、検索キーを含むＮＳＳを作成し、送信側ファクシミリ装置からＮＳＳを含む制御信号および画像情報が受信側のファクシミリ装置に送信された後（ステップＳ５）、ステップＳ１に戻る。
【００４５】
他方、ステップＳ３で、ＮＳＳ制御部１３は、検索キーが複数設定されていると判断した場合には、スキャナ４で読み取った原稿の画像情報の白ライン数を指定白ライン数として検出する（ステップＳ４）。この場合、ＮＳＳ制御部１３は、受信した画像情報中の白エリアが所定面積以上の場合に、当該白エリアを白ラインと認識する。ここで、ＮＳＳ制御部１３では、白ラインを「検索キーの数−１」分検出した場合には、複数の検索キーおよび指定白ライン数を含むＮＳＳを作成し、送信側ファクシミリ装置からＮＳＳを含む制御信号および画像情報が受信側のファクシミリ装置に送信された後（ステップＳ５）、ステップＳ１に戻る。なお、ＮＳＳ制御部１３は、検出した白ライン数が、「検索キーの数−１」より多い場合には、白ラインエリアの面積が大きいものから白ラインと判断する。また、検出した白ライン数が、「検索キーの数−１」より少ない場合には、検索キーを次ページに持ち越して、次ページに割り当てる。
【００４６】
つぎに、図７〜図９を参照して、図１のファクシミリ装置間の通信動作を説明する。図７はファクシミリ装置間の通信動作を説明するためのフローチャート、図８は上記構成のファクシミリ装置間のプロトコルの一例を示す図、図９はデータベース制御部１４のデータベースの一例を示す図である。
【００４７】
図７において、まず、送信側のファクシミリ装置では、画像情報送信時には上記の如く作成された検索キーおよび指定白ライン数をＮＳＳに割り当て、通信を開始する（ステップＳ１１、Ｓ１２）。
【００４８】
受信側のファクシミリ装置では、ＮＳＳ制御部１３は、受信したＮＳＳの内容を解析し（ステップＴ１２）、検索キーが複数であるか否かを判断する（ステップＴ１３）。ＮＳＳ制御部１３は、検索キーが複数有る場合には、受信した画像情報の白ラインの検出を行う（ステップＴ１４）。この場合、ＮＳＳ制御部１３は、受信した画像情報中の白エリアが所定面積以上の場合に、当該白エリアを白ラインと認識する。
【００４９】
そして、ＮＳＳ制御部１３が白ラインを認識した場合には（ステップＴ１５）、ステップＴ１８に移行して、データベース制御部１４は、画像情報内で白ラインで分割される各ブロックのファイルを作成して、検索キーを各ファイルに割り当てて保存する（上記図３参照）。なお、この場合、検出した白ライン数が、指定白ライン数より多い場合には、画像情報内の白エリアの面積が大きいものから白ラインと判断する。また、検出した白ライン数が、指定白ライン数より少ない場合には、検索キーを次ページに持ち越して、次ページに割り当てる。
【００５０】
また、ステップＴ１５において、白ラインを認識しなかった場合には、データベース制御部１４は、１ページ目の画像情報のファイルを作成して、このファイルに最初に指定される検索キーを割り当てて保存する（ステップＴ１７）。そして、次の検索キーが次ページに持ち越され、次のページに割り当てられる（上記図４参照）。
【００５１】
また、ステップＴ１３において、検索キーが複数でない場合、すなわち、検索キーが１つであると判断した場合には、データベース制御部１４は、１ページの画像情報のファイルを作成して、検索キーを割り当てて保存する（ステップＴ１６）。
【００５２】
そして、次ページ以後の受信が行われる（ステップＴ１９）。具体的には、１ページの受信後、ＭＣＦを返した後に再び検索キーを含むＮＳＳを受信した場合には、上記ステップＴ１２〜Ｔ１３と同様な処理が行われ、次ページ以降も同じように、受信した画像情報がファイリングされる。なお、ユーザの指定によりページ毎にファイルする指定がされていた場合には、同時にページ毎にファイルの蓄積を行っていく。
【００５３】
受信終了後（ステップＴ２０）、データベース制御部１４は、上述の如く検索キーの割り当てられたファイルをデータベースに検索キーに対応させて順次登録する。図９は、データベースの一例を示す図である。同図に示す例では、検索キーに対応づけられてファイルがその作成順に登録されている。
【００５４】
つぎに、図１０を参照して、上記構成のファクシミリ装置のデータベースに登録されたファイルの出力を説明する。図１０は、上記構成のファクシミリ装置のデータベースに登録されたファイルの出力を説明するためのフローチャートである。
【００５５】
図１０において、データベース制御部１４では、ユーザにより、操作表示制御部６が操作されて、ファイル一覧の表示指示が行われると（ステップＳ３１）、データベースに格納されたファイルを検索キー毎に分類して、操作表示制御部６の表示部に表示する（ステップＳ３２）。ここでは、例えば、上記図９に示すデータベースが表示される。
【００５６】
ファイル一覧表示の中で、ユーザが操作表示制御部６を操作して、検索キーまたは単一ファイルの選択が行われる。データベース制御部１４では、検索キーまたは単一ファイルが選択されたか否かを判断する（ステップＳ３３）。データベース制御部１４は、単一ファイルが選択された場合には、選択されたファイルの画像情報をプロッタ５に印刷出力させる（ステップＳ３４）。また、データベース制御部１４は、検索キーが選択された場合には、選択された検索キーに分類される全てのファイルの画像情報をプロッタ５に印刷出力させる（ステップＳ３５）。
【００５７】
以上説明したように、上記した実施の形態によれば、送信側のファクシミリ装置では、受信側のファクシミリ装置で送信原稿を分類するための検索キーをＮＳＳに含めて送信し、受信側のファクシミリ装置では、受信した検索キー毎に送信原稿をファイル化してデータベースに登録することとしたので、受信原稿を内容（検索キー）に応じてデータベース化することが可能となる。
【００５８】
また、本実施の形態においては、１ページの送信原稿を複数のファイルとして格納したい場合には、送信原稿（１ページ）で分割したいブロック（ファイル）間に白ラインを設け、各ブロックの検索キー（この場合には複数の検索キー）と、白ライン数（ブロック数−１）をＮＳＳに含めて送信し、受信側のファクシミリ装置では、複数の検索キーおよび白ライン数を含むＮＳＳおよび送信原稿を受信し、受信した原稿中の白ラインを検出して、原稿の各ブロックを識別して、各ブロックに順次検索キーを割り当て、検索キー毎にファイル化してデータベースに格納することとしたので、１ページの原稿を内容（検索キー）に応じて、複数のファイルとしてデータベース化することが可能となる。
【００５９】
また、本実施の形態においては、送信側および受信側のファクシミリ装置では、画像情報中の白エリアが所定面積以上の場合に、当該白エリアを白ラインとして検出することとしたので、正確に白ラインを検出することが可能となる。
【００６０】
また、本実施の形態においては、受信側のファクシミリ装置では、受信原稿内で検出した白ライン数が、指定白ライン数より多い場合には、白ラインのエリアの面積が大きいものから白ラインと判断し、検出した白ライン数が、指定白ライン数より少ない場合には、検索キーを次ページに持ち越して、次ページに割り当てることとしたので、検索キーを原稿内のブロックに正確に割り当てることが可能となる。
【００６１】
また、本実施の形態においては、ページ単位で検索キーを割り当てたい場合には、送信側のファクシミリ装置では、原稿の各ページに対応する検索キーを順次入力して、入力された複数の検索キーを含むＮＳＳを送信した後、複数ページの原稿を送信し、受信側のファクシミリ装置では、受信した検索キーを、受信原稿の各ページに割り当てることとしたので、ページ単位のファイルを、検索キー毎にデータベースに登録することが可能となる。
【００６２】
また、本実施の形態においては、複数ページを送出し、かつ、１ページ内で複数の検索キーを割り当てたい（ページ内で複数ファイルを作りたい）場合には、送信側のファクシミリ装置では、複数の検索キーおよび指定白ライン数を含むＮＳＳおよび１ページの送信原稿を送信し、ＭＣＦ受信後に、検索キーを含んだＮＳＳおよび次ページを送信することとしたので、マルチページ送信において、ページ内で複数の検索キーを割り当てることが可能となる。
【００６３】
また、本実施の形態においては、受信側のファクシミリ装置では、検索キー毎に分類したファイルを、検索キー毎に表示し、ユーザにより、表示されたファイルまたは検索キーが選択されると、選択されたファイルの出力または選択された検索キーに分類される全ファイルを出力することとしたので、検索キー毎に分類された文書の中からユーザの好みの文書を出力することができ、ユーザは求める文書を検索キーに基づいて指定することが可能となる。
【００６４】
また、本実施の形態においては、受信側のファクシミリ装置では、ユーザの指定により、検索キー毎のファイル蓄積に加えて、ページ毎のファイル蓄積を同時に行うこととしたので、分割以前のファイルとして蓄積することが可能となり、受信したページ毎の検索が可能となる。
【００６５】
なお、本発明は、上記した実施の形態に限定されるものではなく、発明の要旨を変更しない範囲で適宜変形可能である。
【００６６】
【発明の効果】
以上説明したように、請求項１にかかる通信システムによれば、送信側通信装置では、検索キー入力手段は、画像情報を検索するための検索キーを入力し、読取手段は、原稿の画像情報を読み取り、送信手段は、前記通信回線を介して受信側通信装置に、前記検索キーを含む制御情報および前記読み取った画像情報を送出し、受信側通信装置では、受信手段は、通信回線を介して、送信側通信装置から送出される検索キーを含む制御情報および画像情報を受信し、データベース制御手段は、受信した画像情報のファイルを作成して、前記検索キーに対応させて、データベースに登録することとしたので、受信原稿を内容（検索キー）に応じてデータベース化することが可能となる。このとき、送信側通信装置では、１ページの画像情報内で複数のファイルを作成して、検索キーに対応させて各ファイルを受信側通信装置のデータベースに登録する場合には、検索キー入力手段は、複数の検索キーを入力し、第１の白ライン検出手段は、画像情報を分割する所定面積以上の白ラインの数を指定白ライン数として検出し、送信手段は、複数の検索キーおよび指定白ライン数を含む前記制御信号および画像情報を送信し、受信側通信装置では、受信手段が、複数の検索キーおよび指定白ライン数を含む制御信号および画像情報を受信した場合には、第２の白ライン検出手段は、受信した画像情報中の白ラインを検出し、検出した白ラインの数が指定白ライン数より多い場合には、検出した白ラインのうち面積が大きい順に指定白ライン数と同数の白ラインを、画像情報を分割する白ラインとして検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当て、検索キーに対応させて、画像情報の各ファイルをデータベースに登録するので、１ページの原稿を内容（検索キー）に応じて、複数のファイルとしてデータベース化することが可能となる。
【００６９】
また、請求項２にかかる通信システムによれば、請求項１にかかる発明の効果に加えて、複数の検索キーを受信した場合において、受信した画像情報中に白ラインがない場合に、各ページに検索キーを順次割り当てることが可能となる。
【００７０】
また、請求項３にかかる通信システムによれば、請求項１にかかる発明の効果に加えて、検索キーを原稿内のブロックに正確に割り当てることが可能となる。
【００７１】
また、請求項４にかかる通信システムによれば、請求項１にかかる発明の効果に加えて、マルチページ送信において、ページ内で複数の検索キーを割り当てることが可能となる。
【００７２】
また、請求項５にかかる通信システムによれば、請求項１にかかる発明の効果に加えて、画像情報を各ページ単位で検索キーに対応させてデータベース化することが可能となる。
【００７３】
また、請求項６にかかる通信システムによれば、検索キー毎に分類された文書の中からユーザの好みの文書を出力することができ、ユーザは求める文書を検索キーに基づいて指定することが可能となる。
【００７４】
また、請求項７にかかる通信システムによれば、請求項１〜請求項６のいずれか１つにかかる発明の効果に加えて、分割以前のファイルとして蓄積することが可能となり、受信したページ毎の検索が可能となる。
【００７５】
また、請求項８にかかる通信装置によれば、検索キー入力手段は、画像情報を検索するための検索キーを入力し、読取手段は、原稿の画像情報を読み取り、送信手段は、通信回線を介して受信側通信装置に、検索キーを含む制御情報および読み取った画像情報を送出することとしたので、受信側の通信装置では、受信原稿を内容（検索キー）に応じてデータベース化することが可能となる。また、１ページの画像情報内で複数のファイルを作成して、検索キーに対応させて各ファイルを受信側の他の通信装置のデータベースに登録する場合には、検索キー入力手段は、複数の検索キーを入力し、第１の白ライン検出手段は、画像情報を分割する所定面積以上の白ラインの数を指定白ライン数として検出し、送信手段は、複数の検索キーおよび指定白ライン数を含む前記制御信号および画像情報を送信するので、受信側の他の通信装置では、１ページの原稿を内容（検索キー）に応じて、複数のファイルとしてデータベース化することが可能となる。
【００７６】
また、請求項９にかかる通信装置によれば、受信手段は、通信回線を介して他の通信装置から送出される検索キーを含む制御情報および画像情報を受信し、データベース制御手段は、受信した画像情報のファイルを作成して、検索キーに対応させて、データベースに登録することとしたので、受信原稿を内容（検索キー）に応じてデータベース化することが可能となる。また、受信手段が、複数の検索キーおよび指定白ライン数を含む制御信号および画像情報を受信した場合には、第２の白ライン検出手段は、受信した画像情報中の白ラインを検出し、検出した白ラインの数が指定白ライン数より多い場合には、検出した白ラインのうち面積が大きい順に指定白ライン数と同数の白ラインを、画像情報を分割する白ラインとして検出し、データベース制御手段は、第２の白ライン検出手段で白ラインを検出した場合には、検出した白ラインで分割される前記受信した画像情報のファイルをそれぞれ作成し、複数の検索キーを各ファイルに順次割り当て、検索キーに対応させて、画像情報の各ファイルをデータベースに登録するので、１ページの原稿を内容（検索キー）に応じて、複数のファイルとしてデータベース化することが可能となる。
【図面の簡単な説明】
【図１】本発明にかかるファクシミリシステムの一例を示す図である。
【図２】図１のファクシミリ装置の構成を示すブロック図である。
【図３】検索キーの指定方法を説明するための図である（その１）。
【図４】検索キーの指定方法を説明するための図である（その２）。
【図５】検索キーの指定方法を説明するための図である（その３）。
【図６】送信側のファクシミリ装置の送信準備動作を説明するためのフローチャートである。
【図７】ファクシミリ装置間の通信動作を説明するためのフローチャートである。
【図８】図１のファクシミリ装置間のプロトコルを示す図である。
【図９】図２のデータベース制御部のデータベースの一例を示す図である。
【図１０】図２のファクシミリ装置のファイルの出力を説明するためのフローチャートである。
【符号の説明】
１    ＣＰＵ
２    ＲＯＭ
３    ＲＡＭ
４    スキャナ
５    プロッタ
６    操作表示制御部
７    ＣＣＵ（通信制御部）
８    モデム
９    ＳＡＦ
１０  符号化／復号化部
１１  ＮＣＵ
１２  バス
１３  ＮＳＳ制御部
１４  データベース制御部
【図１】
0004536956.tif 000002
【図２】
0004536956.tif 000003
【図３】
0004536956.tif 000004
【図４】
0004536956.tif 000005
【図５】
0004536956.tif 000006
【図６】
0004536956.tif 000007
【図７】
0004536956.tif 000008
【図８】
0004536956.tif 000009
【図９】
0004536956.tif 000010
【図１０】
0004536956.tif 000011